(57)【要約】【課題】カバーを外壁用役物に収納された収納物に対して正確に位置合わせして取り付けることができ、カバーが収納物に当たって取り付けられなくなったりすることを防止でき、しかも見栄えの良い収納物保持構造を提供する。【解決手段】建物外壁３に形成された屋外側に開口する縦溝部５内に外壁用役物１が有する長尺且つ断面略凹状の収納部９が配設される。収納部９に上下に長い収納物が収納される。収納物が収納部９の内面に形成された保持部１１で保持される。外壁用役物１の屋外側にカバー２が取り付けられる。カバー２で収納部９及び収納物の屋外側が覆われる。【選択図】図１
2011127365.tif 000002
【特許請求の範囲】
【請求項１】
建物外壁に形成された屋外側に開口する縦溝部内に外壁用役物が有する長尺且つ断面略凹状の収納部が配設され、収納部に上下に長い収納物が収納されると共に該収納物が収納部の内面に形成された保持部で保持され、外壁用役物の屋外側にカバーが取り付けられ、該カバーで収納部及び収納物の屋外側が覆われたことを特徴とする収納物保持構造。
【発明の詳細な説明】
【技術分野】
【０００１】
本発明は外壁用役物に収納される収納物の保持構造に関する。
【背景技術】
【０００２】
従来、例えば特許文献１に示される外壁用役物やカバーが知られており、これらは建物外壁に沿って設けられる竪樋を収納するために用いられる。
【０００３】
前記外壁用役物は長尺且つ断面略凹状の収納部を有している。該収納部は建物外壁に形成された屋外側に開口する縦溝部内に配設され、この収納部に端部が呼び樋や集水枡に接続された竪樋が収納される。この竪樋は建物外壁面の縦溝部に配設された収納部に収納されるので、竪樋の建物外壁面からの突出量を抑えて外観を向上できる。またカバーは外壁用役物の屋外側に取り付けられ、前記外壁用役物に収納された竪樋を覆い隠す。
【先行技術文献】
【特許文献】
【０００４】
【特許文献１】特開２００８−１３３６０５号公報
【発明の概要】
【発明が解決しようとする課題】
【０００５】
ところで前記収納部に収納される竪樋は、建物に設けられた呼び樋や集水枡に接続されることで保持される。このため収納部に収納された竪樋と外壁用役物に取り付けられたカバーとの位置が合わず、カバーが外壁用役物に収納された竪樋に当たってカバーが取り付けられないという事態が生じる恐れがある。無論、竪樋が屋外側にずれた位置に設けられることをある程度見越して、カバーが竪樋から屋外側に大きく離れた位置に配置されるようにすれば、カバーが竪樋に当たることは防止できるが、この場合はカバーの外壁面からの突出量が増して見栄えが良くない。
【０００６】
本発明は上記事情に鑑みてなされたものであって、カバーを外壁用役物に収納された収納物に対して正確に位置合わせして取り付けることができ、カバーが収納物に当たって取り付けられなくなったりすることを防止でき、しかも見栄えの良い収納物保持構造を提供することを課題とする。
【課題を解決するための手段】
【０００７】
上記課題を解決するために本発明の収納物保持構造は以下の構成を有する。建物外壁３に形成された屋外側に開口する縦溝部５内に外壁用役物１が有する長尺且つ断面略凹状の収納部９が配設される。収納部９に上下に長い収納物が収納されると共に該収納物が収納部９の内面に形成された保持部１１で保持される。外壁用役物１の屋外側にカバー２が取り付けられ、該カバー２で収納部９及び収納物の屋外側が覆われる。
【０００８】
この収納物保持構造にあっては、収納物がカバー２が取り付けられる外壁用役物１の収納部９の内面に形成された保持部１１にて保持されるので、カバー２を収納物に対して正確に位置合わせして外壁用役物１に取り付けることができる。このためカバー２が収納物に当たって外壁用役物１に取り付けられない事態が生じることを防止できる。またカバー２を屋内側の収納物に近づけて外壁用役物１に取り付けることができるので、カバー２の屋外側への突出量を抑えることができ、見栄えが良い。さらにカバー２は収納物と保持部１１を含む収納部９の屋外側を覆うことができ、この点でも外観を向上させることができる。
【発明の効果】
【０００９】
本発明にあっては、カバーを外壁用役物に収納された収納物に対して正確に位置合わせして取り付けることができ、カバーが収納物に当たって取り付けられなくなったりすることを防止でき、しかも外観を向上できる。
【図面の簡単な説明】
【００１０】
【図１】本発明の実施形態の外壁用役物及びカバーを用いて丸型竪樋を外壁に設けた状態を示す水平断面図である。
【図２】同上の一部図示を省略した斜視図である。
【図３】同上の外壁用役物にカバーを取り付ける前の状態を示す水平断面図である。
【図４】同上の外壁用役物及びカバーを用いて凹溝を有する角型竪樋を外壁に設けた状態を示す水平断面図である。
【図５】同上の一部図示を省略した斜視図である。
【図６】同上の外壁用役物及びカバーを用いて凹溝を有さない角型竪樋を外壁に設けた状態を示す水平断面図である。
【図７】同上の一部図示を省略した斜視図である。
【図８】本実施形態の外壁用役物に竪樋を収納保持したときに各弾性片部に作用する力を矢印で示した説明図であり、（ａ）は竪樋が丸型竪樋の場合であり、（ｂ）は竪樋が角型竪樋の場合である。
【発明を実施するための形態】
【００１１】
以下、本発明を添付図面に基づいて説明する。本実施形態の収納物保持構造では、図１乃至８に示される外壁用役物１と、外壁用役物１の屋外側に取り付けられるカバー２を用いて竪樋４を収納保持するものであり、つまり外壁用役物１に収納される収納物は竪樋４からなる。
【００１２】
外壁用役物１は、薄板鋼板による板金加工で連続的に一体形成された長尺物であり、建物外壁３に形成された屋外側に開口する縦溝部５に配設される。縦溝部５は、奥面が外壁本体６で構成され、両側の側面が、外壁本体６の屋外側に横方向に並設された胴縁７と、外壁本体６に胴縁７を介して横方向に並設された窯業系サイディング等の外装パネルからなる外装材８で構成されている。
【００１３】
外壁用役物１は幅方向を左右方向とすると左右対称の部材であって、断面略凹状且つ長尺で縦溝部５に屋外側に開口するよう配設される収納部９と、収納部９の幅方向両側の側片部１４の屋外側縁から外側方に向けて突出する覆部１０とを備えている。収納部９の厚み（屋内外方向の長さ）は縦溝部５の溝深さよりもやや大きく、また収納部９に配設される竪樋４の厚み（屋内外方向の長さ）よりも小さい。
【００１４】
収納部９の両側片部１４には、収納部９に収納された竪樋４の外面に当接して竪樋４を保持する保持部１１が形成されている。両保持部１１は収納部９の屋外寄りの箇所に収納部９の長手方向に亘って形成されている。各保持部１１は、収納部９の両側片部１４に形成された内側方に突出する突出部１２の先端に形成され、収納部９の幅方向外側に向かって突となる断面弧状に形成されている。各保持部１１の弧の両側部分は突出部１２より突出して先端が自由端となった弾性片部１６で構成されている。
【００１５】
両保持部１１の収納部９幅方向内側に臨む面１３は互いに対向し、保持部１１の長手方向で見て、曲率半径が図１等に示される丸型竪樋４ａの外周面の曲率半径よりもわずかに小さくなっている。各保持部１１の屋内外方向の長さは、図４に示される角型竪樋４ｂの外側面に形成された凹溝１５の溝幅よりも長くなっている。収納部９の両側片部１４の屋外側縁には、収納部９の幅方向内側に向かって突出する係合片部１７が形成されている。
【００１６】
外壁用役物１は縦溝部５内に配置された収納部９の底部をねじ等の固着具を用いて外壁本体６に固着することで取り付けられる。この取付状態では、外壁用役物１の両側の覆部１０が対応する外装材８の側端部の屋外側を覆う。各覆部１０と外装材８の間はシール材等により防水がなされる。
【００１７】
外壁用役物１の収納部９に竪樋４を収納保持するには、両保持部１１間に屋外側から弾性片部１６を変形させながら竪樋４を挿入し、各保持部１１の面１３を竪樋４の側端部外面に当接する。これにより竪樋４は一部が収納部９よりも屋外側に突出した状態で収納部９に収納保持される。
【００１８】
収納部９には、左右幅が同じ複数種類の竪樋４、具体的には図１に示される丸型竪樋４ａ、図４に示される凹溝１５を有する角型竪樋４ｂ、及び図６に示される凹溝１５を有さない角型竪樋４ｃを収納保持できる。
【００１９】
すなわち両保持部１１の間に竪樋４が挿入されると、断面形状が異なる竪樋４ａ〜４ｃのいずれを挿入した場合も、図８（ａ）及び図８（ｂ）に示すように各弾性片部１６が竪樋４によって図中矢印で示す収納部９の幅方向外側に向かって押圧されて弾性変形し、これら弾性片部１６が竪樋４の外側面に弾接し、これによって竪樋４の屋内外方向の中央部が両保持部１１間に挟持される。
【００２０】
なお図４のように角型竪樋４ｂの屋内外方向の中央部には長手方向に亘って形成された凹溝１５が形成されているが、収納部９に角型竪樋４ｂを収納保持した場合、各保持部１１は両弾性片部１６が角型竪樋４ｂの凹溝１５を挟んだ外側面に弾接するため、支障なく角型竪樋４ｂを保持することができる。
【００２１】
また図４や図６のように収納部９に角型竪樋４ｂ、４ｃを収納保持した場合、弧状の各弾性片部１６は角型竪樋４ｂ、４ｃのフラットな側面部によって押圧され、このときの各弾性片部１６の外側方への変形量は丸型竪樋４ａを収納保持する場合と比較して若干大きくなる。このため両保持部１１によって角型竪樋４ｂ、４ｃが挟持される力は丸型竪樋４ａを保持するときより大きくなり、両保持部１１が角型竪樋４ｂ、４ｃが屋内外方向に外れやすい略直線状に変形するにも関わらず、角型竪樋４ｂ、４ｃを確実に保持できる。このように外壁用役物１は収納部９内に複数種類の竪樋４を保持することができて、汎用性に優れている。
【００２２】
カバー２は外壁用役物１と略同じ長さの長尺物であり、外壁用役物１の長手方向の亘って設けられ、収納部９に収納保持された竪樋４が屋外側に脱落することを防止する。カバー２は外装材８と外観を合わせるため外装材８と同じ材料で形成されている。
【００２３】
カバー２は、外壁用役物１に収納保持される竪樋４が、図１に示される丸型竪樋４ａ、図４に示される凹溝１５を有する角型竪樋４ｂ、及び図６に示される凹溝１５を有さない角型竪樋４ｃのいずれの場合にも用いることができる。
【００２４】
カバー２は、断面が屋内側に開口した略凹状のカバー部１９で主体が構成され、カバー部１９の両側片部２０は屋内側程幅方向外側に位置するよう傾斜している。
【００２５】
カバー部１９の幅方向の両端部には収納部９の両側に形成された係合片部１７の夫々に係合される被係合部２１が形成されている。各被係合部２１は、側片部２０の屋内側端部から内側方に向けて突出した縁片部２２の内縁から屋内側に向けて突出する断面く字状のばね片部で構成されている。
【００２６】
カバー２を建物外壁３に設けられた外壁用役物１に取り付けるには、図３の矢印に示されるように屋外側からカバー２を外壁用役物１側に移動して、両被係合部２１を両係合片部１７の間を通して収納部９に挿入する。すると、両被係合部２１は、対応する係合片部１７にて収納部９の幅方向内側に向かって押圧され、両被係合部２１が対応する係合片部１７を乗り越えたときに弾性復帰して対応する係合片部１７の屋内側に係合され、これによりカバー２が外壁用役物１の屋外側に取り付けられる。
【００２７】
この取付状態においては、図１等に示されるように両側片部２０間に竪樋４ａ〜４ｃの屋外側部分が配置され、カバー部１９は竪樋４に当接して屋内側に押圧する。これによって収納部９に収納保持された竪樋４はより一層屋外側に外れ難くなり、竪樋４は建物外壁３に強固に取り付けられる。またカバー２は両被係合部２１を収納部９両側の係合片部１７の夫々に係合することにより簡単に外壁用役物１に取り付けることができる。
【００２８】
以上説明した本実施形態では、竪樋４がカバー２が取り付けられる外壁用役物１の収納部９の内面に形成された保持部１１にて保持されるので、カバー２を竪樋４に対して正確に位置合わせして外壁用役物１に取り付けることができる。このためカバー２が竪樋４に当たって外壁用役物１に取り付けられない事態が生じることを防止できる。またカバー２を屋内側の竪樋４に近づけて外壁用役物１に取り付けることができ、カバー２の屋外側への突出量を抑えることができ、見栄えが良い。さらにカバー２は竪樋４と保持部１１を含む収納部９の屋外側を覆うことができ、この点でも外観を向上させることができる。
【００２９】
なお本実施形態では、外壁用役物１が設けられる縦溝部５を外壁本体６、胴縁７、及び外装材８にて構成したが、縦溝部５はこれに限定されるものではない。また、外壁用役物１及びカバー２も適宜設計変更可能である。例えば外壁用役物１は、保持部１１を収納部９の突出部１２を設けていない側片部１４に設ける等してもよく、また断面弧状以外のものであってもよい。また、本実施形態の外壁用役物１によって収納保持される収納物は竪樋４であるが、外壁用役物１はエアコンの配管などのその他の管状体や、アンテナ線や電線等の配線を収納保持するものであってもよく、つまり収納物は建物の外壁に沿って設けられる上下に長いものであればよく、収納物が配線である場合には、外壁用役物とこれに取り付けられたカバーとで収納部に収納保持された配線が挟まれて断線することも防止できる。
【符号の説明】
【００３０】
１  外壁用役物
２  カバー
３  建物外壁
５  縦溝部
９  収納部
１１  保持部
【図１】
2011127365.tif 000003
【図２】
2011127365.tif 000004
【図３】
2011127365.tif 000005
【図４】
2011127365.tif 000006
【図５】
2011127365.tif 000007
【図６】
2011127365.tif 000008
【図７】
2011127365.tif 000009
【図８】
2011127365.tif 000010